(57)【要約】【課題】  個人的・家庭的な使用や、使用頻度が少ない場合の用途に適した、小型軽量かつ簡素な構造を備えた安価なシール供給具を提供する。【解決手段】  シールＳを保持する基材テープ２を収納するケース１０と、ケース１０の先端部に設けられ、基材テープ２上のシールＳを剥離して対象位置Ｐに貼着するシール供給部１１とを備えてなり、シール供給部１１は、シール剥離部１５とシール押圧ヘッド１６を備える。シール剥離部２０は、基材テープ２を折り曲げ案内する小径の剥離ローラ２０と、基材テープ２を送り操作する送りローラ２１とから構成され、送りローラ２１が対象位置Ｐに押圧して転動される際の押圧反力により、基材テープ２を剥離ローラ２０との間に挟圧回転しながら送る。【選択図】    図３
2006062727.tif 000002
【特許請求の範囲】
【請求項１】
帯状または短冊状の基材テープ上に配列保持されたシールを紙面等の対象位置に供給貼着するためのシール供給具であって、
片手による手持ち操作可能で、前記シールが配列保持された基材テープを収納可能なケースと、このケースの先端部に設けられて、前記基材テープ上のシールを基材シールから剥離して前記対象位置に貼着するシール供給手段とを備えてなり、
このシール供給手段は、前記基材テープから前記シールを剥離するシール剥離部と、この剥離されたシールを前記対象位置に押圧するシール押圧ヘッドとを備え、
前記シール剥離部は、前記基材テープを折り曲げ案内する小径の剥離ローラと、前記シールが剥離された基材テープを送り操作する送りローラとから構成され、
この送りローラは、前記対象位置に押圧して転動される際の押圧反力により、前記基材テープを前記剥離ローラとの間に挟圧回転しながら送るように構成されている
ことを特徴とするシール供給具。
【請求項２】
前記送りローラは、前記ケース内に所定の変位動作可能にかつ回転可能に軸支されるとともに、その外周の一部が前記ケース外部へ臨んで設けられ、
前記送りローラが、前記対象位置に押圧して転動される際の押圧反力により変位動作して、前記基材テープを前記剥離ローラとの間に挟圧しながら送るように構成されている
ことを特徴とする請求項１に記載のシール供給具。
【請求項３】
前記送りローラは、弾性材料から形成された弾性ローラの形態とされて、前記ケース内に回転可能に軸支されるとともに、その外周の一部が前記ケース外部へ臨んで設けられ、
前記送りローラが、前記対象位置に押圧して転動される際の押圧反力により弾性変形して、前記基材テープを前記剥離ローラとの間に弾性的に挟圧しながら送るように構成されている
ことを特徴とする請求項１に記載のシール供給具。
【請求項４】
前記シール押圧ヘッドは、前記シール剥離部の剥離ローラにより剥離されたシールを前記対象位置に密着状に押圧する直線状先端縁を備え、
この先端縁と前記剥離ローラとの距離寸法は、少なくとも前記シールの長さ寸法よりも小さく設定されている
ことを特徴とする請求項１から３のいずれか一つに記載のシール供給具。
【請求項５】
前記シール押圧ヘッドは、前記ケースの先端部から直線状に突出して延びる平板状ヘッドの形態とされている
ことを特徴とする請求項４に記載のシール供給具。
【請求項６】
前記シール押圧ヘッドの先端縁が断面円弧形状に形成されていることを特徴とする請求項５に記載のシール供給具。
【請求項７】
前記シール押圧ヘッドの先端部に薄肉部分が設けられて、この先端部が押圧方向に弾性変形可能とされている
ことを特徴とする請求項５または６に記載のシール供給具。
【請求項８】
前記シール押圧ヘッドの先端縁下部に、シールを前記先端縁へ挿入案内する案内用凹部が形成されている
ことを特徴とする請求項５または６に記載のシール供給具。
【請求項９】
前記シール押圧ヘッドの先端縁の幅方向両端部に、シールを前記先端縁へ挿入案内する案内用突起が設けられている
ことを特徴とする請求項５または６に記載のシール供給具。
【請求項１０】
前記シール押圧ヘッドの先端部に、小径の押圧ローラが回転可能に支持されて、前記先端縁が形成されている
ことを特徴とする請求項５に記載のシール供給具。
【請求項１１】
前記シール押圧ヘッドの先端縁が弾性線材により形成されて、押圧方向に弾性変形可能とされている
ことを特徴とする請求項５に記載のシール供給具。
【請求項１２】
前記ケースは、短冊状の基材テープ上にシールが配列保持されてなるシールテープを収容可能な形状寸法を有し、上部に前記シールテープの挿入開口を有する細長箱状のケース本体と、前記挿入開口を開閉可能に施蓋する平板状の蓋体とからなり、
前記ケース本体の先端部分に前記シール剥離部が設けられていることを特徴とする請求項１から１１のいずれか一つに記載のシール供給具。
【請求項１３】
前記ケース本体の先端部分上部に前記挿入開口が設けられるとともに、この挿入開口を施蓋する前記蓋体の先端部分が延長されて、前記シール押圧ヘッドが一体的に形成されている
ことを特徴とする請求項１２に記載のシール供給具。
【請求項１４】
前記ケース本体は、前記シールテープを複数枚積層状に収容可能な構造とされ、
前記積層状に収容されるシールテープの前後端部に、第１係合部と第２係合部がそれぞれ形成され、
シール供給具使用時において、最下部の前記シールテープが前方へ送られて、その後端部の第２係合部が上側に収容されるシールテープの前端部の第１係合部に係合することにより、この上側のシールテープが前方へ引っ張られて送られるように構成されている
ことを特徴とする請求項１２または１３に記載のシール供給具。
【請求項１５】
前記ケースは、帯状の基材テープ上にシールが配列保持されてなるシールテープを挿通案内可能な形状寸法を有し、上部に前記シールテープの挿入開口を有する細長筒状のケース本体と、前記挿入開口を開閉可能に施蓋する平板状の蓋体とからなり、
前記ケース本体の先端部分に前記シール剥離部が設けられている
ことを特徴とする請求項１から１１のいずれか一つに記載のシール供給具。
【請求項１６】
前記蓋体に前記シールテープを巻装してなるテープリールが回転可能に収容されるテープ収容ケースが一体形成されている
ことを特徴とする請求項１５に記載のシール供給具。
【請求項１７】
前記ケース本体の先端部分上部に前記挿入開口が設けられるとともに、この挿入開口を施蓋する前記蓋体の先端部分が延長されて、前記シール押圧ヘッドが一体的に形成されている
ことを特徴とする請求項１６に記載のシール供給具。
【請求項１８】
前記ケース本体の後端部に設けられた前記シールテープの排出開口に、このシールテープを切断するテープカッタが設けられている
ことを特徴とする請求項１５から１７のいずれか一つに記載のシール供給具。
【請求項１９】
前記テープ収容ケースのテープ操出開口から前記シール押圧ヘッドの先端縁に至る前記蓋体の内側面全体に、剥離処理が施されている
ことを特徴とする請求項１５から１８のいずれか一つに記載のシール供給具。
【請求項２０】
前記ケースのケース本体は、短冊状の基材テープ上にシールが配列保持されてなるシールテープを収容可能で、かつ帯状の基材テープ上にシールが配列保持されてなるシールテープを挿通案内可能な形状寸法を有するとともに、上部に前記シールテープの挿入開口を有する細長筒状に形成され、
前記ケース本体の挿入開口を開閉可能に施蓋する平板状の第１の蓋体と、前記ケース本体の挿入開口を開閉可能に施蓋する平板状の蓋本体および前記シールテープを巻装してなるテープリールが回転可能に収容されるテープ収容ケースが一体形成されてなる第２の蓋体とを備え、これら第１および第２の蓋体が前記ケース本体用の蓋体として選択的に使用可能な構造とされている
ことを特徴とする請求項１から１１のいずれか一つに記載のシール供給具。
【請求項２１】
前記ケース本体の後端部に設けられた前記シールテープの排出開口に、このシールテープを切断するテープカッタが設けられている
ことを特徴とする請求項２０に記載のシール供給具。
【請求項２２】
前記第２の蓋体において、少なくとも前記蓋本体の内側面全体に、剥離処理が施されている
ことを特徴とする請求項２０または２１に記載のシール供給具。
【請求項２３】
請求項１２から１４、および２０から２２のいずれか一つに記載のシール供給具に用いられるシール印刷用ブランクシートであって、
前記短冊状の基材テープの長さ寸法に等しい一辺を有する矩形基材シートに、前記短冊状の基材テープの幅寸法に等しい間隔をもって複数の切断線が形成され、
前記矩形基材シート上の前記切断線間部分に、前記シールとなる印刷用ブランクシールが長さ方向に等間隔をもって配列保持されている
ことを特徴とするシール供給具用のシール印刷用ブランクシート。
【請求項２４】
請求項１５から１９、および２０から２２のいずれか一つに記載のシール供給具に用いられるシール印刷用ブランクシートであって、
前記帯状の基材テープ上に、前記シールとなる印刷用ブランクシールが長さ方向に等間隔をもって配列保持されている
ことを特徴とするシール供給具用のシール印刷ブランクシート。
【請求項２５】
請求項１５から１９、および２０から２２のいずれか一つに記載のシール供給具に用いられるシール印刷用ブランクシートであって、
前記帯状の基材テープの長さ寸法に等しい長さを有する長尺基材シートに、前記帯状の基材テープの幅寸法に等しい間隔をもって複数の切断線が形成され、前記長尺基材シート上の前記切断線間部分に、前記シールとなる印刷用ブランクシールが長さ方向に等間隔をもって配列保持されている
ことを特徴とするシール供給具用のシール印刷ブランクシート。
【発明の詳細な説明】
【技術分野】
【０００１】
本発明は、シール供給具およびシール供給具用のシール印刷ブランクシートに関し、さらに詳細には、基材テープ上に配列保持されたシールを紙面等の対象位置に供給貼着するためのシール供給技術に関する。
【背景技術】
【０００２】
近時の商品の多様化やパソコンなどの普及に伴い、例えば、企業ロゴマーク、キャラクター、事務関係マーク等の各種マークを印刷したシールや、パソコンにより個人的・家庭的に任意の各種マークを印刷可能なブロックタイプの印刷用シールなどが、基材テープ上に配列保持された形態で供給され始めており、これらシールは、従来、手指により上記基材テープ上から剥離されて、紙面等の対象位置に貼着使用される方法が一般に採られている。
【０００３】
しかしながら、このように基材テープ上のシールをユーザが手指にて直接剥がして貼着する使用方法では、シールの使用状態の良否に、ユーザの手先の器用・不器用などの個人的能力差がそのまま影響するため、ユーザの使用段階で商品価値が著しく低下してしまうということも起こり得、汎用性を生命とするこの種のシール商品にとって、致命傷となる危険もあった。
【０００４】
この点に関して、従来、主として業務用に開発されて提供されているラベル貼付装置（例えば特許文献１、特許文献２等参照）を、上記新規シール商品に適用することも考えられるが、これら装置はいずれも、その本来的用途が業務用ということで、装置構造が大型かつ複雑で、価格も高く、個人的・家庭的な使用や、業務用でも使用頻度が少ない場合の用途には不向きであった。
【特許文献１】特開昭５６−７４４３１号公報
【特許文献２】特開平２−８５１４０号公報
【発明の開示】
【発明が解決しようとする課題】
【０００５】
本発明はかかる従来の問題点に鑑みてなされたものであって、その目的とするところは、個人的・家庭的な使用や、使用頻度が少ない場合の用途に適した、小型軽量かつ簡素な構造を備えた安価なシール供給具を提供することにある。
【０００６】
また、本発明の他の目的とするところは、このようなシール供給具に好適に使用されるシール印刷用ブランクシートを提供することにある。
【課題を解決するための手段】
【０００７】
この目的を達成するため、本発明のシール供給具は、帯状または短冊状の基材テープ上に配列保持されたシールを紙面等の対象位置に供給貼着するためのシール供給具であって、片手による手持ち操作可能で、上記シールが配列保持された基材テープを収納可能なケースと、このケースの先端部に設けられて、上記基材テープ上のシールを基材テープから剥離して上記対象位置に貼着するシール供給手段とを備えてなり、このシール供給手段は、上記基材テープから上記シールを剥離するシール剥離部と、この剥離されたシールを上記対象位置に押圧するシール押圧ヘッドとを備え、上記シール剥離部は、上記基材テープを折り曲げ案内する小径の剥離ローラと、上記シールが剥離された基材テープを送り操作する送りローラとから構成され、この送りローラは、上記対象位置に押圧して転動される際の押圧反力により、上記基材テープを上記剥離ローラとの間に挟圧回転しながら送るように構成されていることを特徴とする。
【０００８】
好適な実施態様として、上記送りローラの具体的構造としては、次の態様が採用され得る。
【０００９】
（ｉ）上記送りローラは、上記ケース内に所定の変位動作可能にかつ回転可能に軸支されるとともに、その外周の一部が上記ケース外部へ臨んで設けられ、上記送りローラが、上記対象位置に押圧して転動される際の押圧反力により変位動作して、上記基材テープを上記剥離ローラとの間に挟圧しながら送るように構成される。
【００１０】
（ii）上記送りローラは、弾性材料から形成された弾性ローラの形態とされて、上記ケース内に回転可能に軸支されるとともに、その外周の一部が上記ケース外部へ臨んで設けられ、上記送りローラが、上記対象位置に押圧して転動される際の押圧反力により弾性変形して、上記基材テープを上記剥離ローラとの間に弾性的に挟圧しながら送るように構成される。
【００１１】
また、上記シール押圧ヘッドの具体的構造としては、次に列挙する態様が考えられる。
【００１２】
（ｉ）上記シール押圧ヘッドは、上記シール剥離部の剥離ローラにより剥離されたシールを上記対象位置に密着状に押圧する直線状先端縁を備え、この先端縁と上記剥離ローラとの距離寸法は、少なくとも上記シールの長さ寸法よりも小さく設定される。
【００１３】
（ii）上記シール押圧ヘッドは、上記ケースの先端部から直線状に突出して延びる平板状ヘッドの形態とされる。
【００１４】
（iii）上記シール押圧ヘッドの先端縁が断面円弧形状に形成される。
【００１５】
（iv）上記シール押圧ヘッドの先端部に薄肉部分が設けられて、この先端部が押圧方向に弾性変形可能とされる。
【００１６】
（ｖ）上記シール押圧ヘッドの先端縁下部に、シールを上記先端縁へ挿入案内する案内用凹部が形成される。
【００１７】
（vi）上記シール押圧ヘッドの先端縁の幅方向両端部に、シールを上記先端縁へ挿入案内する案内用突起が設けられる。
【００１８】
（vii）上記シール押圧ヘッドの先端部に、小径の押圧ローラが回転可能に支持されて、上記先端縁が形成される。
【００１９】
（viii）上記シール押圧ヘッドの先端縁が弾性線材により形成されて、押圧方向に弾性変形可能とされる。
【００２０】
さらに、上記ケースの具体的構造としては、次に列挙する態様が考えられる。
【００２１】
（１）上記基材テープが短冊状タイプに適した構造：
【００２２】
（ｉ）上記ケースは、短冊状の基材テープ上にシールが配列保持されてなるシールテープを収容可能な形状寸法を有し、上部に上記シールテープの挿入開口を有する細長箱状のケース本体と、上記挿入開口を開閉可能に施蓋する平板状の蓋体とからなり、上記ケース本体の先端部分に上記シール剥離部が設けられる。
【００２３】
（ii）この場合において、上記ケース本体の先端部分上部に上記挿入開口が設けられるとともに、この挿入開口を施蓋する上記蓋体の先端部分が延長されて、上記シール押圧ヘッドが一体的に形成される。
【００２４】
（iii）さらに、上記ケース本体は、上記シールテープを複数枚積層状に収容可能な構造とされ、上記積層状に収容されるシールテープの前後端部に、第１係合部と第２係合部がそれぞれ形成され、シール供給具使用時において、最下部の上記シールテープが前方へ送られて、その後端部の第２係合部が上側に収容されるシールテープの前端部の第１係合部に係合することにより、この上側のシールテープが前方へ引っ張られて送られるように構成される。
【００２５】
（２）上記基材テープが帯状タイプに適した構造：
【００２６】
（ｉ）上記ケースは、帯状の基材テープ上にシールが配列保持されてなるシールテープを挿通案内可能な形状寸法を有し、上部に上記シールテープの挿入開口を有する細長筒状のケース本体と、上記挿入開口を開閉可能に施蓋する平板状の蓋体とからなり、上記ケース本体の先端部分に上記シール剥離部が設けられる。
【００２７】
（ii）上記蓋体に上記シールテープを巻装してなるテープリールが回転可能に収容されるテープ収容ケースが一体形成される。
【００２８】
（iii）上記ケース本体の先端部分上部に上記挿入開口が設けられるとともに、この挿入開口を施蓋する上記蓋体の先端部分が延長されて、上記シール押圧ヘッドが一体的に形成される。
【００２９】
（iv）上記ケース本体の後端部に設けられた上記シールテープの排出開口に、このシールテープを切断するテープカッタが設けられる。
【００３０】
（ｖ）上記テープ収容ケースのテープ操出開口から上記シール押圧ヘッドの先端縁に至る上記蓋体の内側面全体に、剥離処理が施される。
【００３１】
（３）上記基材テープが短冊状タイプおよび帯状タイプの両者に適した構造：
【００３２】
（ｉ）上記ケースのケース本体は、短冊状の基材テープ上にシールが配列保持されてなるシールテープを収容可能で、かつ帯状の基材テープ上にシールが配列保持されてなるシールテープを挿通案内可能な形状寸法を有するとともに、上部に上記シールテープの挿入開口を有する細長筒状に形成され、上記ケース本体の挿入開口を開閉可能に施蓋する平板状の第１の蓋体と、上記ケース本体の挿入開口を開閉可能に施蓋する平板状の蓋本体および上記シールテープを巻装してなるテープリールが回転可能に収容されるテープ収容ケースが一体形成されてなる第２の蓋体とを備え、これら第１および第２の蓋体が上記ケース本体用の蓋体として選択的に使用可能な構造とされる。
【００３３】
（ii）上記ケース本体の後端部に設けられた上記シールテープの排出開口に、このシールテープを切断するテープカッタが設けられる。
【００３４】
（iii）上記第２の蓋体において、少なくとも上記蓋本体の内側面全体に、剥離処理が施されている。
【００３５】
また、本発明の第１のシール印刷用ブランクシートは、上記基材テープが短冊状タイプに適した構造を有するケースを備えたシール供給具に用いられるものであって、上記短冊状の基材テープの長さ寸法に等しい一辺を有する矩形基材シートに、上記短冊状の基材テープの幅寸法に等しい間隔をもって複数の切断線が形成され、上記矩形基材シート４上の上記切断線間部分に、上記シールとなる印刷用ブランクシールが長さ方向に等間隔をもって配列保持されていることを特徴とする。
【００３６】
さらに、本発明の第２のシール印刷用ブランクシートは、上記基材テープが帯状タイプに適した構造を有するケースを備えたシール供給具に用いられるものであって、上記帯状の基材テープ上に、上記シールとなる印刷用ブランクシールが長さ方向に等間隔をもって配列保持されていることを特徴とする。
【００３７】
また、本発明の第３のシール印刷用ブランクシートは、上記基材テープが帯状タイプに適した構造を有するケースを備えたシール供給具に用いられるものであって、上記帯状の基材テープの長さ寸法に等しい長さを有する長尺基材シートに、上記帯状の基材テープの幅寸法に等しい間隔をもって複数の切断線が形成され、上記長尺基材シート上の上記切断線間部分に、上記シールとなる印刷用ブランクシールが長さ方向に等間隔をもって配列保持されていることを特徴とする。
【００３８】
本発明のシール供給具の使用に際しては、ケースを手指にて把持して、シールを供給貼着すべき対象位置上に、シール押圧ヘッドを軽く当てるとともに、シール剥離部の送りローラを押し当てた状態で、シール供給具を上記対象位置表面に沿って移動させる。すると、上記送りローラが上記対象位置に押圧して転動される際の押圧反力により、シールテープの基材テープを上記剥離ローラとの間に挟圧回転しながら送る。これにより、上記基材テープが回転する上記剥離ローラにより折り曲げ案内され、この折り曲げ案内時に、基材テープ上のシールが、それ自体の平板状態への弾性復帰作用により基材テープから剥離されて、そのまま前方へ送られる。この送られたシールは、上記シール押圧ヘッドにより上記対象位置表面に押し付けられて貼着され、一方、上記シールが剥離された基材テープは上記送りローラと剥離ローラに挟圧されて、上記ケース内を後方へ向けて強制的に送られる。
【発明の効果】
【００３９】
本発明のシール供給具によれば、ケースの先端部に設けられるシール供給手段が、上記基材テープから上記シールを剥離するシール剥離部と、この剥離されたシールを上記対象位置に押圧するシール押圧ヘッドとを備え、上記シール剥離部は、上記基材テープを折り曲げ案内する小径の剥離ローラと、上記シールが剥離された基材テープを送り操作する送りローラとから構成されて、この送りローラが、上記対象位置に押圧して転動される際の押圧反力により、上記基材テープを上記剥離ローラとの間に挟圧回転しながら送るように構成されているから、小型軽量かつ簡素な構造で安価であり、個人的・家庭的な使用や、使用頻度が少ない場合の用途に適したシール供給具を提供することができる。
【００４０】
また、上記シール剥離部の送りローラが、上記対象位置に押圧して転動される際の押圧反力により、上記基材テープを上記剥離ローラとの間に挟圧回転しながら送るように構成されているから、不使用時において上記剥離ローラと送りローラの間隔寸法をある程度広げる余裕があり、したがって、上記ケース内に収容使用されるシールテープについて、その基材テープの上記の剥離ローラと送りローラの間への挿入セッティングが容易であるとともに、種々の厚さの基材テープを採用可能であり、一般市販の各種シールテープに対応使用可能で、汎用性に富む。
【００４１】
さらに、本発明のシール供給具においては、ケースの構造が短冊状および帯状の両タイプのシールテープに共用可能であり、この点においても、多量生産による製造コストさらには製品コストの低減化が可能である。
【００４２】
本発明のシール印刷用ブランクシートは、上記のような効果を発揮し得るシール供給具に好適に使用されるもので、広く普及している汎用パソコンにより、個人的・家庭的に任意の各種マークを印刷して、各ユーザの個性的なシールを作成することができるとともに、上記シール供給具との協働使用により、基材テープからのシールの剥離作業と、紙面等の対象位置に対する貼着作業が、ユーザの熟練度や個人的能力差の影響を受けずに容易かつ確実に行えて、老若男女を問わずあらゆる階層のユーザの使用を促進することができる。
【発明を実施するための最良の形態】
【００４３】
以下、本発明の実施形態を図面に基づいて詳細に説明する。
【００４４】
実施形態１
本発明に係るシール供給具が図１〜図４に示されており、このシール供給具１は、具体的には、シールテープＴ上のシールＳを紙面等の対象位置Ｐに供給貼着するためのもので、図示の実施形態のシールテープＴは、短冊状の基材テープ２上にシールＳが配列保持されてなる。このシールテープＴは、図４に示すように、シール印刷用ブランクシート３から形成される。
【００４５】
このシール印刷用ブランクシート３は、剥離紙等からなる矩形基材シート４に、上記シールＳとなる印刷用ブランクシール６が所定間隔をもって多数枚配列保持されてなる。図示の実施形態においては、短冊状の基材テープ２の長さ寸法Lに等しい一辺を有する上記矩形基材シート４に、切断線５が上記基材テープ２の幅寸法Wに等しい間隔をもって直線状に複数形成され、これら矩形基材シート４上の切断線５、５間部分に、上記シールＳとなる印刷用ブランクシール６が長さ方向に等間隔をもって複数配列保持されてなる。
【００４６】
このように構成されたシール印刷用ブランクシート３は、図示のごとく従来周知の一般的なパソコン７とプリンタ８とからなるシール印刷設備において、上記プリンタ８にセットされて、パソコン７にインストールされた印刷用アプリケーションソフトにより、ユーザが任意の文字や絵柄等の各種マークを、シール印刷用ブランクシート３上の印刷用ブランクシール６、６、…に印刷して、シールＳ、Ｓ、…を作成することができる。
【００４７】
そして、シール印刷用ブランクシート３を上記切断線５、５…のところで切断することにより、上記シール供給具１に挿入して使用可能な短冊状の基材テープ２が作成される。
【００４８】
シール供給具１は、図１〜図３に示されるような簡素な構造で、具体的には、ケース１０と、このケース１０の先端部に設けられたシール供給部（シール供給手段）１１を主要部として構成されている。このシール供給部１１は、後述するように、シール剥離部１５とシール押圧ヘッド１６とから構成されている。
【００４９】
ケース１０は、片手による手持ち操作可能で、シールＳ、Ｓ、…が配列保持された基材テープ２を収納可能な形状寸法を有し、その先端部に上記シール供給部１１が設けられている。
【００５０】
すなわち、上記ケース１０は、射出成形等により一体成形されたプラスチック製のものであって、短冊状の基材テープ２上にシールＳが配列保持されてなるシールテープＴを収容可能な形状寸法を有し、上部にシールテープＴの挿入開口１２ａを有する細長箱状のケース本体１２と、上記挿入開口１２ａを開閉可能に施蓋する蓋体１３とからなり、その対向する一対の上下面１０ａ、１０ｂが手持ち操作時の把持面とされている。また、上記ケース本体１２の先端部分には、上記シール供給部１１のシール剥離部１５が設けられている。
【００５１】
具体的には、上記ケース本体１２の先端部分上部に上記挿入開口１２ａが設けられるとともに、この挿入開口１２ａを施蓋する上記蓋体１３の先端部分が延長されて、上記シール押圧ヘッド１６が一体的に形成されている。
【００５２】
上記蓋体１３は平板状のもので、ケース本体１２の挿入開口１２ａの両側に設けられた案内溝１４、１４に前後方向摺動案内されて、上記挿入開口１２ａを開閉するとともに、ケース本体１２から取外し可能とされている。
【００５３】
シール押圧ヘッド１６は、シール剥離部１５により基材テープ２から剥離されたシールＳを上記対象位置Ｐに押圧するもので、具体的な構造は後述する。
【００５４】
シール供給部１１は、基材テープ２上のシールＳを基材テープ２から剥離して対象位置Ｐに貼着するもので、上記基材テープ２から上記シールＳを剥離するシール剥離部１５と上記シール押圧ヘッド１６とを備えてなる。
【００５５】
シール押圧ヘッド１６は、具体的には、蓋体１３が上記ケース１０に施蓋装着された状態において、ケース１０のの先端部から直線状に突出して延びる平板状ヘッドの形態とされており、またその先端には、図示のごとくシールＳを対象位置Ｐに密着状に押圧する直線状先端縁１６ａを備える。この先端縁１６ａは断面円弧形状に形成されて、シールＳの誘導案内と押圧が容易な形状とされている。
【００５６】
上記シール剥離部１５は、基材テープ２を折り曲げ案内する小径の剥離ローラ２０と、シールＳが剥離された基材テープ２を送り操作する送りローラ２１とから構成され、これら両ローラ２０、２１は、その両端にそれぞれ一体形成された回転支軸２０ａ、２０ａまたは２１ａ、２１ａがケース本体１２の左右両側壁に形成された軸孔２２、２２または２３、２３にそれぞれ回転可能に軸支されて、ケース本体１２に装着されている。
【００５７】
この送りローラ２１は、上記対象位置Ｐに押圧して転動される際の押圧反力により、上記基材テープ２を上記剥離ローラ２０との間に挟圧回転しながら送るように構成されている。
【００５８】
具体的には、上記送りローラ２１は、上記ケース１０内に所定の変位動作可能にかつ回転可能に軸支されるとともに、その外周の一部が上記ケース１０外部へ臨んで設けられている。
【００５９】
図示の実施形態においては、送りローラ２１の両端支軸２１ａ、２１ａを回転支持するケース本体１２の軸孔２３、２３が、図３に示すように、支軸２１ａの外径よりも大きな内径を有しており、これら軸孔２３、２３に上記支軸２１ａ、２１ａがある程度のゆとりをもって、遊嵌状態で回転可能に支持されている。
【００６０】
これにより、上記送りローラ２１は、上記対象位置Ｐに押圧して転動される際の押圧反力により変位動作して、上記基材テープ２を上記剥離ローラ２０との間に挟圧しながら送るように構成されている。
【００６１】
換言すれば、不使用時は、剥離ローラ２０と送りローラ２１の間隔寸法をある程度広げる余裕があり、したがって、上記ケース１０内に収容使用されるシールテープＴについて、その基材テープ２の剥離ローラ２０と送りローラ２の間への挿入セッティングが容易であるとともに、種々の厚さの基材テープ２を採用可能とされている。
【００６２】
なお、具体的には図示しないが、上記送りローラ２１は、弾性材料から形成された弾性ローラの形態とされて、上記ケース１０内に回転可能に軸支されるとともに、その外周の一部が上記ケース１０外部へ臨んで設けられ、上記送りローラ２１は、上記対象位置Ｐに押圧して転動される際の押圧反力により弾性変形して、上記基材テープ２を上記剥離ローラ２０との間に弾性的に挟圧しながら送るように構成されても良い。
【００６３】
しかして、以上のように構成されたシール供給具１の使用に際しては、ケース１０を手指にて把持して、シールＳを供給貼着すべき対象位置Ｐ上に、シール押圧ヘッド１６を軽く当てるとともに、シール剥離部１５の送りローラ２１を押し当てた状態で、シール供給具１を上記対象位置表面Ｐに沿って移動させる。
【００６４】
すると、上記送りローラ２１が対象位置Ｐに押圧して転動される際の押圧反力により、シールテープＴの基材テープ２を剥離ローラ２０との間に挟圧回転しながら送る。これにより、上記基材テープ２が回転する上記剥離ローラ２０により折り曲げ案内され、この折り曲げ案内時に、基材テープ２上のシールＳが、それ自体の平板状態への弾性復帰作用により基材テープ２から剥離されて、そのまま前方へ送られる。
【００６５】
この送られたシールＳは、シール押圧ヘッド１６により対象位置表面Ｐに押し付けられて貼着され、一方、上記シールＳが剥離された基材テープ２は上記送りローラ２１と剥離ローラ２０に挟圧されて、ケース１０内を後方へ向けて強制的に送られる。
【００６６】
本実施形態のシール供給具１によれば、ケース１０の先端部に設けられるシール供給部１１が、シール剥離部１５とシール押圧ヘッド１６とを備え、上記シール剥離部１５は、基材テープ２を折り曲げ案内する小径の剥離ローラ２０と、シールＳが剥離された基材テープ２を送り操作する送りローラ２１とから構成されて、この送りローラ２１が、上記対象位置Ｐに押圧して転動される際の押圧反力により、上記基材テープ２を上記剥離ローラ２０との間に挟圧回転しながら送るように構成されているから、小型軽量かつ簡素な構造で安価であり、個人的・家庭的な使用や、使用頻度が少ない場合の用途に適している。
【００６７】
また、上記シール剥離部１５の送りローラ２１が、上記対象位置Pに押圧して転動される際の押圧反力により、上記基材テープ２を上記剥離ローラ２０との間に挟圧回転しながら送るように構成されているから、不使用時において上記剥離ローラと送りローラの間隔寸法をある程度広げる余裕があり、したがって、上記ケース１０内に収容使用されるシールテープＴについて、その基材テープ２の剥離ローラ２０と送りローラ２１の間への挿入セッティングが容易であるとともに、種々の厚さの基材テープ２を採用可能であり、一般市販の各種シールテープに対応使用可能で、汎用性に富む。
【００６８】
また、上記シール印刷用ブランクシート３は、図示のシール供給具１に好適に使用されるもので、広く普及している汎用パソコン７により、個人的・家庭的に任意の各種マークを印刷して、各ユーザの個性的なシールを作成することができるとともに、上記シール供給具１との協働使用により、基材テープ２からのシールの剥離作業と、紙面等の対象位置に対する貼着作業が、ユーザの熟練度や個人的能力差の影響を受けずに容易かつ確実に行えて、老若男女を問わずあらゆる階層のユーザの使用を促進することができる。
【００６９】
実施形態２
本実施形態は図５に示されており、実施形態１におけるシール供給具１のシール押圧ヘッド１６の具体的構造が改変されたものである。
【００７０】
すなわち、本実施形態のシール押圧ヘッド１６は、図示のごとく、その先端部２５に薄肉部分２５ａが設けられて、この先端部２５が押圧方向（矢符方向）に弾性変形可能とされている。具体的には、上記先端部２５における下側部分が凹部とされて薄肉部分２５ａが形成されている。
その他の構成および作用は実施形態１と同様である。
【００７１】
実施形態３
本実施形態は図６に示されており、実施形態１におけるシール供給具１のシール押圧ヘッド１６の具体的構造が改変されたものである。
【００７２】
すなわち、本実施形態のシール押圧ヘッド１６は、図示のごとく、その先端縁１６ａの下部に、シールＳを先端縁１６ａへ挿入案内する案内用凹部２６が形成されている。
その他の構成および作用は実施形態１と同様である。
【００７３】
実施形態４
本実施形態は図７に示されており、実施形態１におけるシール供給具１のシール押圧ヘッド１６の具体的構造が改変されたものである。
【００７４】
すなわち、本実施形態のシール押圧ヘッド１６は、図示のごとく、その先端縁１６ａの幅方向両端部に、シールＳを先端縁１６ａへ挿入案内する案内用突起２７、２７が設けられている。
その他の構成および作用は実施形態１と同様である。
【００７５】
実施形態５
本実施形態は図８に示されており、実施形態１におけるシール供給具１のシール押圧ヘッド１６の具体的構造が改変されたものである。
【００７６】
すなわち、本実施形態のシール押圧ヘッド１６は、図示のごとく、その先端部に、小径の押圧ローラ２８が回転可能に支持されて、その外周面により上記先端縁１６ａが形成されている。
その他の構成および作用は実施形態１と同様である。
【００７７】
実施形態６
本実施形態は図９に示されており、実施形態１におけるシール供給具１のシール押圧ヘッド１６の具体的構造が改変されたものである。
【００７８】
すなわち、本実施形態のシール押圧ヘッド１６は、図示のごとく、その先端縁１６ａが弾性線材２９により形成されて、押圧方向に弾性変形可能とされている。
【００７９】
具体的には、上記弾性線材２９は、図示のように先端縁１６ａを形成する直線状部分を有するように折曲形成されるとともに、その両端部分２９ａ、２９ｂが前後方向へずれた支持軸とされて、これら市軸２９ａ、２９ｂが上記シール押圧ヘッド１６に埋設状に固定され、これにより、シール押圧ヘッド１６の先端部分が押圧方向に弾性変形可能とされている。
その他の構成および作用は実施形態１と同様である。
【００８０】
実施形態７
本実施形態は図１０〜１２に示されており、実施形態１におけるケース１０の具体的構造が改変されたものである。
【００８１】
すなわち、本実施形態のケース１０は、図１０に示すように、ケース本体１２が短冊状のシールテープＴを複数枚積層状に収容可能な構造とされるとともに、シール供給具１の使用時において、これら積層状に収容されたシールテープＴ、Ｔ、…が連続的に送られるように構成されている。
【００８２】
具体的には、ケース本体１２の高さ寸法が実施形態１に比較して大きく設定されるとともに、高さ方向中間部に仕切板３０が設けられて、上側空間がシールテープＴ、Ｔ、…の収容部とされるとともに、下側空間が使用済みシールテープつまり基材テープ２、２、…の収容空間とされている。また、蓋体１３の形状は、ケース本体１２の挿入開口１２ａ（図示省略）の輪郭形状に対応して折曲形成された板状とされている。
【００８３】
また、シールテープＴは、図１１および図１２に示すように、その前後両端部に第１および第２係合部３１、３２が形成されている。図示の実施形態においては、第１係合部３１が係合開口の形態とされるとともに、第２係合部３２が上向きに切り起こされた係合舌片の形態とされている。
【００８４】
そして、シール供給具１の使用時において、最下部の上記シールテープＴが前方へ送られて、その後端部の第２係合部３２が上側に収容されるシールテープＴの前端部の第１係合部３１に下側から突入して係合することにより、この上側のシールテープＴが前方へ引っ張られて送られるように構成されている。
その他の構成および作用は実施形態１と同様である。
【００８５】
実施形態８
本実施形態は図１３〜１７に示されており、実施形態１におけるケース１０の具体的構造が改変されたものである。
【００８６】
すなわち、本実施形態のシール供給具１は、具体的には帯状のシールテープＴ、つまり帯状の基材テープ２上にシールＳが配列保持されてなるシールテープＴを用いるものである。このシールテープＴは、図１７に示すように、シール印刷用ブランクシート３３から形成される。
【００８７】
このシール印刷用ブランクシート３３は、剥離紙等からなる長尺基材シート３４に、上記シールＳとなる印刷用ブランクシール６が所定間隔をもって多数枚配列保持されてなる。図示の実施形態においては、上記帯状の基材テープ２の長さ寸法に等しい長さを有する長尺基材シート３４に、帯状の基材テープ２の切断線３５が上記基材テープ２の幅寸法Wに等しい間隔をもって直線状に複数形成され、この長尺基材シート３４上の切断線３５、３５間部分に、上記シールＳとなる印刷用ブランクシール６が長さ方向に等間隔をもって複数配列保持されてなる。
【００８８】
このように構成されたシール印刷用ブランクシート３３は、実施形態１と同様に、図示のごとく従来周知の一般的なパソコン７とプリンタ８とからなるシール印刷設備において、上記プリンタ８にロール状にセットされて、パソコン７にインストールされた印刷用アプリケーションソフトにより、ユーザが任意の文字や絵柄等の各種マークを、シール印刷用ブランクシート３３上の印刷用ブランクシール６、６、…に印刷して、シールＳ、Ｓ、…を作成することができる。
【００８９】
そして、シール印刷用ブランクシート３３を上記切断線３５、３５…のところで切断することにより、上記シール供給具１に挿入して使用可能な短冊状の基材テープ２が作成される。
【００９０】
シール供給具１は、図１３〜図１５に示されるような簡素な構造である。具体的には、ケース１０は、図１５に示すように、片手による手持ち操作可能で、帯状の基材テープ２上にシールＳが配列保持されてなるシールテープＴを挿通案内可能な形状寸法を有し、上部に上記シールテープＴの挿入開口１２ａを有する細長筒状のケース本体１２と、上記挿入開口１２ａを開閉可能に施蓋する平板状の蓋体１３とからなり、上記ケース本体１２の先端部分に上記シール剥離部１５が設けられている。
【００９１】
上記ケース本体１２の後端部には、シールテープＴの排出開口１２ｂが設けられるとともに、この排出開口１２ｂに、使用済みのシールテープＴつまり基材テープ２を切断するテープカッタ３６が設けられている。
【００９２】
上記蓋体１３には、上記シールテープＴを巻装してなるテープリール４０が回転可能に収容されるテープ収容ケース４１が一体形成されてなり、これにより、蓋体１３とテープ収容ケース４１からなるリールカセットの形態とされている。
【００９３】
しかして、以上のように構成されたシール供給具１の使用に際しては、テープ収容ケース４１内のテープリール４０から繰出されるシールテープＴが、図１５に示すように、挿入開口１２ａからケース本体１２内へ導入案内されて、蓋体１３の内側面に沿って、ケース１０の先端部に設けられたシール供給部１１へ送られる。
【００９４】
この時の動作メカニズムは、実施形態１で説明したように、送りローラ２１が対象位置Ｐに押圧して転動される際の押圧反力により、シールテープＴの基材テープ２を剥離ローラ２０との間に挟圧回転しながら送る。これにより、上記基材テープ２が回転する上記剥離ローラ２０により折り曲げ案内され、この折り曲げ案内時に、基材テープ２上のシールＳが、それ自体の平板状態への弾性復帰作用により基材テープ２から剥離されて、そのまま前方へ送られる。
【００９５】
この送られたシールＳは、シール押圧ヘッド１６により対象位置表面Ｐに押し付けられて貼着され、一方、上記シールＳが剥離された基材テープ２は上記送りローラ２１と剥離ローラ２０に挟圧されて、ケース１０内を後方へ向けて強制的に送られる。
【００９６】
このケース１０内を後方へ向けて強制的に送られる基材テープ２は、最終的に、ケース本体１２の後端部の排出開口１２ｂから外部へ排出されるとともに、この排出開口１２ｂに設けられたテープカッタ３６により適宜切断除去される。
【００９７】
また、テープ収容ケース４１内のテープリール４０がすべて繰出されて空になると、蓋体１３とテープ収容ケース４１からなるリールカセットを一旦ケース本体１２から取り外して、新しいテープリール４０をテープ収容ケース４１内にセットした後、再びこのリールカセットをケース本体１２に装着する。これにより、シール供給具１の繰返し使用が可能となる。
【００９８】
なお、上記シール印刷用ブランクシート３３としては、プリンタ８の給紙構造を改良することにより、記帯状の基材テープ２上に、上記シールＳとなる印刷用ブランクシール６、６、…が長さ方向に等間隔をもって配列保持される構造を採用することも可能となる。このような構成とすることにより、シール印刷用ブランクシート３３の使用方法がより簡単となる利点が生まれる。
その他の構成および作用は実施形態１と同様である。
【００９９】
実施形態９
本実施形態は図１８に示されており、実施形態７におけるケース１０が若干改変されたものである。
【０１００】
すなわち、本実施形態のケース１０は、シールテープＴのシールＳがいわゆる両面テープのブロックタイプである場合に適した構造を備えてなる。
【０１０１】
具体的には、上記テープ収容ケース４１のテープ操出開口４１ａからシール押圧ヘッド１６の先端縁１６ａに至る蓋体１３の内側面全体、つまりシールテープＴの両面テープシールＳが付着しやすい部位に、剥離処理４２が施されている。この剥離処理４２としては、両面テープの粘着材が付着し難い素材（例えばシリコン等）からなる皮膜シートが上記蓋体１３の内側面全体に被覆形成される。
その他の構成および作用は実施形態７と同様である。
【０１０２】
なお、上述した実施形態はあくまでも本発明の好適な実施態様を示すものであって、本発明はこれに限定されることなく、その範囲内で種々の設計変更が可能である。
【０１０３】
例えば、実施形態１の構造と実施形態８の構造を兼備したケース構造として、短冊状および帯状の基材テープ２を選択的に使用できる構成とすることも可能である。
【０１０４】
すなわち、上記ケース１０のケース本体１２は、短冊状の基材テープ２上にシールＳが配列保持されてなるシールテープＴを収容可能で、かつ帯状の基材テープ２上にシールＳが配列保持されてなるシールテープＴを挿通案内可能な形状寸法を有するとともに、上部に上記シールテープＴの挿入開口１２ａを有する細長筒状に形成される。
【０１０５】
一方、上記ケース本体１２の挿入開口１２ａを開閉可能に施蓋する平板状の第１の蓋体（実質的に実施形態１の蓋体１３と同一）と、上記ケース本体１２の挿入開口１２ａを開閉可能に施蓋する平板状の蓋本体および上記シールテープＴを巻装してなるテープリール４０が回転可能に収容されるテープ収容ケース４１が一体形成されてなる第２の蓋体（実質的に実施形態８の蓋体１３と同一）とを備える。そして、これら第１および第２の蓋体が上記ケース本体１２用の蓋体として選択的に使用可能な構造とされる。
【図面の簡単な説明】
【０１０６】
【図１】本発明の実施形態１であるシール供給具を示す斜視図である。
【図２】同じく同シール供給具を分解して示す斜視図である。
【図３】同シール供給具の使用状態を示す側面断面図である。
【図４】同シール供給具に用いられるシール印刷用ブランクシートとそのシール印刷設備を示す斜視図である。
【図５】本発明の実施形態２であるシール供給具のシール押圧ヘッドの使用状態を示す側面断面図である。
【図６】本発明の実施形態３であるシール供給具のシール押圧ヘッドの使用状態を示す側面断面図である。
【図７】本発明の実施形態４であるシール供給具のシール押圧ヘッドの使用状態を示し、図７（ａ）は斜視図、図７（ｂ）は側面断面図である。
【図８】本発明の実施形態５であるシール供給具のシール押圧ヘッドの使用状態を示し、図８（ａ）は斜視図、図８（ｂ）は側面断面図である。
【図９】本発明の実施形態６であるシール供給具のシール押圧ヘッドの使用状態を示す斜視図である。
【図１０】本発明の実施形態７であるシール供給具の使用状態を示す側面断面図である。
【図１１】同シール供給具に積層状態で収容される短冊状の基材テープの送り動作状態を示す斜視図である。
【図１２】同じく同基材テープの送り動作のメカニズムを説明するための側面断面図である。
【図１３】本発明の実施形態８であるシール供給具を示す斜視図である。
【図１４】同じく同シール供給具を分解して示す斜視図である。
【図１５】同シール供給具の使用状態を示す側面断面図である。
【図１６】同シール供給具の後端部のテープカッタによるシールテープの切断状態を示す斜視図である。
【図１７】同シール供給具に用いられるシール印刷用ブランクシートとそのシール印刷設備を示す斜視図である。
【図１８】本発明の実施形態９であるシール供給具の使用状態を示す側面断面図である。
【符号の説明】
【０１０７】
Ｔ                      シールテープ
Ｌ                      基材テープの長さ寸法
Ｗ                      基材テープの幅寸法
Ｓ                      シール
Ｐ                      対象位置
１                      シール供給具
２                      基材テープ
３                      シール印刷用ブランクシート
４                      矩形基材シート
５                      切断線
６                      印刷用ブランクシール
１０                    ケース
１１                    シール供給部（シール供給手段）
１２                    ケース本体
１２ａ                  挿入開口
１２ｂ                  排出開口
１３                    蓋体
１５                    シール剥離部
１６                    シール押圧ヘッド
１６ａ                  直線状先端縁
２０                    剥離ローラ
２０ａ                  回転支軸
２１                    送りローラ
２１ａ                  回転支軸
２２                    軸孔
２３                    軸
２５                    先端部
２５ａ                  薄肉部分
２６                    案内用凹部
２７                    案内用突起
２８                    押圧ローラ
２９                    弾性線材
３１                    第１係合部
３２                    第２係合部
３３                    シール印刷用ブランクシート
３４                    長尺基材シート
３５                    切断線
３６                    テープカッタ
４０                    テープリール
４１                    テープ収容ケース
４１ａ                  テープ操出開口
４２                    剥離処理
【図１】
2006062727.tif 000003
【図２】
2006062727.tif 000004
【図３】
2006062727.tif 000005
【図４】
2006062727.tif 000006
【図５】
2006062727.tif 000007
【図６】
2006062727.tif 000008
【図７】
2006062727.tif 000009
【図８】
2006062727.tif 000010
【図９】
2006062727.tif 000011
【図１０】
2006062727.tif 000012
【図１１】
2006062727.tif 000013
【図１２】
2006062727.tif 000014
【図１３】
2006062727.tif 000015
【図１４】
2006062727.tif 000016
【図１５】
2006062727.tif 000017
【図１６】
2006062727.tif 000018
【図１７】
2006062727.tif 000019
【図１８】
2006062727.tif 000020